(57)【特許請求の範囲】
【請求項１】
加熱源により加熱される熱交換器を経由して設けられた被加熱通水路と、該被加熱通水路に並列に接続されたバイパス路と、前記被加熱通水路及びバイパス路の上流側に連接された給水路と、前記被加熱通水路及びバイパス路の下流側に連接された出湯路と、前記被加熱通水路の通水流量に対する前記バイパス路の通水流量の比率であるバイパス比を変更するバイパス比変更手段と、前記給水路の通水時に前記出湯路の下流側に供給される湯水の温度を目標温度に制御するための温調制御処理として、前記加熱源の加熱量を可変的に制御することと前記バイパス比を前記バイパス比変更手段を介して可変的に制御することとを実行する温調制御手段とを備える熱源機であって、
当該熱源機の運転状態が、前記温調制御処理のために前記バイパス比を変化させるように前記バイパス比変更手段を動作させることを必要としないあらかじめ定められた特定状態であるか否かを判断し、当該熱源機の運転状態が前記特定状態であることを必要条件として、前記バイパス比変更手段の異常の発生を検知する異常検知処理を実行する異常検知手段と、
前記温調制御処理のために前記加熱源の運転を開始すべき旨の要求が発生したとき、該加熱源の運転用機器の動作チェックを行うための所定の初期チェック条件が成立する場合に、該加熱源の運転を開始する前に、前記加熱源の運転用機器の動作チェックを行う初期チェック手段とを備えており、
前記加熱源の運転を開始すべき旨の要求が発生したときに、前記初期チェック条件が成立することにより前記加熱源の運転用機器の動作チェックが行われる状態が前記特定状態として設定されていることを特徴とする熱源機。
【請求項２】
請求項１記載の熱源機において、
前記被加熱通水路で前記熱交換器から流出する湯水の温度である熱交換器出湯温度を検出する温度検出手段をさらに備えており、
前記異常検知手段は、前記加熱源の運転を開始すべき旨の要求が発生したときに、当該熱源機の運転状態が、前記初期チェック条件が成立することにより前記加熱源の運転用機器の動作チェックが行われる状態であることに加えて、前記温度検出手段による熱交換器出湯温度の検出値が前記温調制御処理における前記目標温度以下の温度であることを必要条件として、前記異常検知処理を実行するように構成されていることを特徴とする熱源機。
【請求項３】
加熱源により加熱される熱交換器を経由して設けられた被加熱通水路と、該被加熱通水路に並列に接続されたバイパス路と、前記被加熱通水路及びバイパス路の上流側に連接された給水路と、前記被加熱通水路及びバイパス路の下流側に連接された出湯路と、前記被加熱通水路の通水流量に対する前記バイパス路の通水流量の比率であるバイパス比を変更するバイパス比変更手段と、前記給水路の通水時に前記出湯路の下流側に供給される湯水の温度を目標温度に制御するための温調制御処理として、前記加熱源の加熱量を可変的に制御することと前記バイパス比を前記バイパス比変更手段を介して可変的に制御することとを実行する温調制御手段とを備える熱源機であって、
当該熱源機の運転状態が、前記温調制御処理のために前記バイパス比を変化させるように前記バイパス比変更手段を動作させることを必要としないあらかじめ定められた特定状態であるか否かを判断し、当該熱源機の運転状態が前記特定状態であることを必要条件として、前記バイパス比変更手段の異常の発生を検知する異常検知処理を実行する異常検知手段を備え、
前記温調制御処理のための前記加熱源の運転開始後、前記バイパス比が該バイパス比の可変範囲の最小値となるように前記バイパス比変更手段が制御された状態が前記特定状態として設定されており、
前記異常検知手段は、前記異常検知処理の実行中に、前記温調制御処理のために前記バイパス比を変化させるように前記バイパス比変更手段を動作させるべき状態となったときに前記異常検知処理を中断するように構成されていることを特徴とする熱源機。
【請求項４】
加熱源により加熱される熱交換器を経由して設けられた被加熱通水路と、該被加熱通水路に並列に接続されたバイパス路と、前記被加熱通水路及びバイパス路の上流側に連接された給水路と、前記被加熱通水路及びバイパス路の下流側に連接された出湯路と、前記被加熱通水路の通水流量に対する前記バイパス路の通水流量の比率であるバイパス比を変更するバイパス比変更手段と、前記給水路の通水時に前記出湯路の下流側に供給される湯水の温度を目標温度に制御するための温調制御処理として、前記加熱源の加熱量を可変的に制御することと前記バイパス比を前記バイパス比変更手段を介して可変的に制御することとを実行する温調制御手段とを備える熱源機であって、
当該熱源機の運転状態が、前記温調制御処理のために前記バイパス比を変化させるように前記バイパス比変更手段を動作させることを必要としないあらかじめ定められた特定状態であるか否かを判断し、当該熱源機の運転状態が前記特定状態であることを必要条件として、前記バイパス比変更手段の異常の発生を検知する異常検知処理を実行する異常検知手段を備え、
前記加熱源の運転停止状態が前記特定状態として設定されており、
前記異常検知手段は、前記異常検知処理の実行中に、前記温調制御処理のために前記バイパス比を変化させるように前記バイパス比変更手段を動作させるべき状態となったときに前記異常検知処理を中断するように構成されていることを特徴とする熱源機。
【請求項５】
請求項１〜３のいずれか１項に記載の熱源機において、
前記加熱源の運転停止状態が前記特定状態の他の特定状態として設定されていることを特徴とする熱源機。
【発明の詳細な説明】
【技術分野】
【０００１】
本発明は、給湯器、暖房機等の熱源機に関する。
【背景技術】
【０００２】
給湯器等の熱源機では、特許文献１等に見られるように、バーナ等の加熱源により加熱される熱交換器を経由して設けられた被加熱通水路と、被加熱通水路に並列に接続されたバイパス路と、被加熱通水路及びバイパス路の上流側、下流側に各々連接された給水路及び出湯路と、被加熱通水路及びバイパス路のそれぞれの通水流量の比率（以降、バイパス比ということがある）を変更するバイパス比変更手段（電動式の制御弁等）とを備えるものが従来より知られている。
【先行技術文献】
【特許文献】
【０００３】
【特許文献１】特開平８−２７８０５７号公報
【発明の概要】
【発明が解決しようとする課題】
【０００４】
ところで、近年、特許文献１に見られる如き熱源機（例えば給湯器）では、出湯路からの出湯温度を、ぬるめの温度（給水温度からの上昇量が小さい温度）に制御し得るようにするために、バイパス比変更手段により実現可能なバイパス比の可変範囲の最大値が比較的大きいバイパス比に設定されたものが普及するようになってきた。
【０００５】
そして、特に、このようにバイパス比の最大値が比較的大きい熱源機では、バイパス比変更手段の弁機構を駆動する電動モータの断線等に起因するバイパス比変更手段の異常が発生すると、バイパス比が最大値もしくはそれに近い値に継続的に保持されてしまうような異常（以降、バイパス比異常ということがある）が発生することがある。そして、このような場合には、次のような不都合を生じることが本願発明者の各種、実験、検討により判明した。
【０００６】
すなわち、バイパス比変更手段の異常によって、上記バイパス比異常が発生した場合には、特に、前記被加熱通水路及びバイパス路に流入する通水の流量が比較的小さい場合（例えば、出湯路の終端に設けられた給湯栓の開度が小さい場合）に、被加熱通水路の通水流量が微小なものとなる。
【０００７】
このような状況で、被加熱通水路の通水を熱交換器を介して加熱すべく加熱源の運転を行うと、熱交換器における被加熱通水路内の湯水が急激に過剰に昇温し、ひいては、過剰に昇温した湯水が出湯路の下流側に供給される虞がある。
【０００８】
従って、バイパス比変更手段の異常が発生した場合には、それを検知して、当該異常発生の報知等を行うことが望ましい。
【０００９】
ただし、この場合、出湯路に供給される湯水の温度を目標温度に制御するために、バイパス比を変化させることが必要な状況で、バイパス比変更手段の異常の発生を検知しようとすると、バイパス比変更手段が正常に動作し得る状態であっても、当該異常の発生の検知処理の実行中におけるバイパス比が不適切なものとなって、出湯路に供給される湯水の温度の制御性能が損なわれる虞れがある。
【００１０】
従って、バイパス比変更手段の異常の発生を検知する処理は、出湯路に供給される湯水の温度の制御性能（温調制御性能）を損なう虞が無いか、もしくは、その虞が十分に低い状況で行うことが望まれる。
【００１１】
本発明はかかる背景に鑑みてなされたものであり、出湯路に供給される湯水の温度の制御性能を損なわないようにバイパス比変更手段の異常の発生を検知することができる熱源機を提供することを目的とする。
【課題を解決するための手段】
【００１２】
本発明の熱源機は、かかる目的を達成するために、加熱源により加熱される熱交換器を経由して設けられた被加熱通水路と、該被加熱通水路に並列に接続されたバイパス路と、前記被加熱通水路及びバイパス路の上流側に連接された給水路と、前記被加熱通水路及びバイパス路の下流側に連接された出湯路と、前記被加熱通水路の通水流量に対する前記バイパス路の通水流量の比率であるバイパス比を変更するバイパス比変更手段と、前記給水路の通水時に前記出湯路の下流側に供給される湯水の温度を目標温度に制御するための温調制御処理として、前記加熱源の加熱量を可変的に制御することと前記バイパス比を前記バイパス比変更手段を介して可変的に制御することとを実行する温調制御手段とを備える熱源機であって、
当該熱源機の運転状態が、前記温調制御処理のために前記バイパス比を変化させるように前記バイパス比変更手段を動作させることを必要としないあらかじめ定められた特定状態であるか否かを判断し、当該熱源機の運転状態が前記特定状態であることを必要条件として、前記バイパス比変更手段の異常の発生を検知する異常検知処理を実行する異常検知手段を備えることを基本構成とする。
【００１３】
かかる基本構成によれば、前記異常検知手段は、当該熱源機の運転状態が、前記温調制御処理のために前記バイパス比を変化させるように前記バイパス比変更手段を動作させることを必要としない前記特定状態であることを必要条件として、前記バイパス比変更手段の異常の発生を検知する。
【００１４】
そして、前記温調制御処理のために前記バイパス比を変化させるように前記バイパス比変更手段を動作させることを必要とする状況では、異常検知手段による異常検知処理は実行されないこととなる。このため、温調制御部は、バイパス比を所要の値に適切に制御するように温調制御処理を実行することができる。
【００１５】
従って、前記基本構成によれば、異常検知手段は、出湯路に供給される湯水の温度の制御性能を損なわないようにバイパス比変更手段の異常の発生を検知することができる。
【００１６】
本発明（第１発明）は前記基本構成において、さらに、前記温調制御処理のために前記加熱源の運転を開始すべき旨の要求が発生したとき、該加熱源の運転用機器の動作チェックを行うための所定の初期チェック条件が成立する場合に、該加熱源の運転を開始する前に、前記加熱源の運転用機器の動作チェックを行う初期チェック手段を備えている。そして、前記加熱源の運転を開始すべき旨の要求が発生したときに、前記初期チェック条件が成立することにより前記加熱源の運転用機器の動作チェックが行われる状態が前記特定状態として設定されていることを特徴とする。
【００１７】
この第１発明によれば、記加熱源の運転用機器の動作チェックが行われる状態で、前記異常検知手段による異常検知処理が実行される。この場合、当該動作チェックは、加熱源の運転が開始される前の状態で実行される。従って、異常検知手段は、出湯路に供給される湯水の温度の制御性能を損なわないようにバイパス比変更手段の異常の発生を検知することができる。 
【００１８】
かかる第１発明では、前記被加熱通水路で前記熱交換器から流出する湯水の温度である熱交換器出湯温度を検出する温度検出手段をさらに備えている場合には、前記異常検知手段は、前記加熱源の運転を開始すべき旨の要求が発生したときに、当該熱源機の運転状態が、前記初期チェック条件が成立することにより前記加熱源の運転用機器の動作チェックが行われる状態であることに加えて、前記温度検出手段による熱交換器出湯温度の検出値が前記温調制御処理における前記目標温度以下の温度であることを必要条件として、前記異常検知処理を実行するように構成されていることが好ましい（第２発明）。
【００１９】
ここで、熱交換器出湯温度の検出値が前記温調制御処理における前記目標温度よりも高い温度となっている状況は、前記被加熱通水路内に、前記目標温度よりも高い温度の湯水が存在している状況である。そして、このような状況では、前記出湯路の下流側に前記目標温度に一致もしくはほぼ一致する温度の湯水を供給するために、被加熱通水路を流れる湯水に速やかにバイパス路側からより低温の水を混合させてやることが望ましい。
【００２０】
そこで、第２発明では、異常検知手段は、前記温度検出手段による熱交換器出湯温度の検出値が前記温調制御処理における前記目標温度以下の温度であることをさらなる必要条件として、前記異常検知処理を実行する。
【００２１】
これにより、熱交換器出湯温度の検出値が前記目標温度よりも高い温度であるときには、前記異常検知手段による異常検知処理が実行されないこととなる。その結果、前記温調制御手段は、加熱源の運転開始前から、バイパス比を速やかに適切なバイパス比に制御することが可能となる。ひいては、出湯路の下流側に供給される湯水の温度を、被加熱通水路内に存在していた湯水の温度よりも低い目標温度に速やかに一致もしくはほぼ一致させるように制御することが可能となる。
【００２２】
また、本発明（第３発明）は前記基本構成において、さらに、前記温調制御処理のための前記加熱源の運転開始後、前記バイパス比が該バイパス比の可変範囲の最小値となるように前記バイパス比変更手段が制御された状態が前記特定状態として設定されており、前記異常検知手段は、前記異常検知処理の実行中に、前記温調制御処理のために前記バイパス比を変化させるように前記バイパス比変更手段を動作させるべき状態となったときに前記異常検知処理を中断するように構成されていることを特徴とする。
【００２３】
ここで、給水路から被加熱通水路及びバイパス路に供給される水の温度（給水温度）が前記目標温度よりも低く、且つ、該給水温度と目標温度との差が比較的大きい場合には、前記温調制御処理において、出湯路の下流側に供給される湯水を温度をできるだけ早期に昇温させるために、前記バイパス比制御弁は、通常、ある程度の時間、継続的に前記バイパス比が最小のバイパス比に維持されるように制御される。そして、このようにバイパス比を最小のバイパス比に維持するようにバイパス比制御弁を制御する状況は、バイパス比を変化させることを必要としない状況である。
【００２４】
そこで、第３発明では、前記温調制御処理のための前記加熱源の運転開始後、前記バイパス比が該バイパス比の可変範囲の最小値となるように前記バイパス比制御弁が制御された状態を、前記特定状態として設定した。
【００２５】
かかる第３発明においても、異常検知手段は、バイパス比を変化させる必要のない状態で、異常検知処理を実行できるので、出湯路に供給される湯水の温度の制御性能を損なわないようにバイパス比変更手段の異常の発生を検知することができる。
また、第３発明において、前記異常検知手段による異常検知処理の実行中に、前記温調制御処理のために前記バイパス比を変化させことが必要となる場合もある。
このため、第３発明では、前記異常検知手段は、前記異常検知処理の実行中に、前記温調制御処理のために前記バイパス比を変化させるように前記バイパス比変更手段を動作させるべき状態となったときに前記異常検知処理を中断するように構成されている。
これによれば、前記温調制御処理のために前記バイパス比を変化させるように前記バイパス比変更手段を動作させるべき状態となったときに前記異常検知処理を中断するので、出湯路の下流側に供給する湯水の温度の制御の安定性を高めることができる。
【００２６】
また、本発明（第４発明）は前記基本構成において、さらに、前記加熱源の運転停止状態が前記特定状態として設定されており、前記異常検知手段は、前記異常検知処理の実行中に、前記温調制御処理のために前記バイパス比を変化させるように前記バイパス比変更手段を動作させるべき状態となったときに前記異常検知処理を中断するように構成されていることを特徴とする。
【００２７】
この第４発明によれば、前記異常検知手段は、前記加熱源の運転停止状態で異常検知処理を実行する。従って、第４発明においても、出湯路に供給される湯水の温度の制御性能を損なわないようにバイパス比変更手段の異常の発生を検知することができる。
【００３１】
また、前記第４発明において、前記異常検知手段による異常検知処理の実行中に、加熱源の運転を開始すべき状態となったり、さらには、加熱源の運転を行いつつ、前記温調制御処理を開始するために前記バイパス比を変化させるように前記バイパス比変更手段を動作させるべき状態となる場合もある。
【００３２】
このため、第４発明では、前記異常検知手段は、前記異常検知処理の実行中に、前記加熱源の運転を開始すべき状態となったとき、又は前記温調制御処理を開始するために前記バイパス比を変化させるように前記バイパス比変更手段を動作させるべき状態となったときに前記異常検知処理を中断するように構成されている。
【００３３】
これによれば、前記加熱源の運転を開始すべき状態となったとき、又は前記温調制御処理を開始するために前記バイパス比を変化させるように前記バイパス比変更手段を動作させるべき状態となったときに前記異常検知処理を中断するので、加熱源の運転の開始後、出湯路の下流側に供給する湯水の温度を目標温度に一致もしくはほぼ一致させるように制御することを迅速に行うことができる。
【００３４】
なお、第１発明、第３発明、及び第４発明は、互いに組み合わせることもできる。従って、前記第１〜第３発明において、前記加熱源の運転停止状態が前記特定状態の他の特定状態として設定され得る（第５発明）。
【図面の簡単な説明】
【００３５】
【図１】本発明の実施形態の熱源機の構成を示す図。
【図２】第１実施形態において図１に示すコントローラの要部の処理を示すフローチャート。
【図３】第１実施形態において図１に示すコントローラの要部の処理を示すフローチャート。
【図４】第２実施形態において図１に示すコントローラの要部の処理を示すフローチャート。
【発明を実施するための形態】
【００３６】
［第１実施形態］
本発明の第１実施形態を図１〜図３を参照して以下に説明する。
【００３７】
図１を参照して、本実施形態の熱源機１は、例えば給湯器である。この給湯器１は、燃焼式の加熱源としてのバーナ３等が搭載された給湯器本体２と、給湯器１の運転操作を行うためのリモコンユニット２０とを備える。
【００３８】
給湯器本体２には、バーナ３、熱交換器４、被加熱通水路５、バイパス路６、給水路７及び出湯路８が搭載されている。
【００３９】
バーナ３は、本実施形態では、ガス供給路１０を介して供給される燃料ガスを燃焼させるガスバーナである。このバーナ３には、給湯器本体２に搭載された燃焼ファン９の作動により燃焼用空気が供給される。ガス供給路１０には、バーナ３への燃料ガスの供給量を制御するためのガス比例弁１１と、ガス供給路１０を開閉するガス電磁弁１２とが介装されている。
【００４０】
ガス電磁弁１２を開弁すると共に、燃焼ファン９によりバーナ３に燃焼用空気を供給した状態で、図示しないイグナイタを作動させることで、バーナ３の燃焼運転が開始される。そして、バーナ３の運転中にガス比例弁１１を制御することで、バーナ３の燃焼量（加熱量）が制御される。
【００４１】
なお、バーナ３は、灯油等の液体燃料を燃焼させるバーナであってもよい。
【００４２】
熱交換器４は、バーナ３の燃焼熱を受熱するように該バーナ３に対向して配置されている。
【００４３】
被加熱通水路５は、その内部を流れる湯水がバーナ３の燃焼熱により熱交換器４を介して加熱される流路であり、その中間部で熱交換器４を経由するように配管されている。
【００４４】
この被加熱通水路５には、熱交換器４から流出する湯水の温度である熱交換器出湯温度を検出する温度センサ１３が該熱交換器４の下流側で装着されている。この温度センサ１３は、本発明における温度検出手段に相当するものである。
【００４５】
バイパス路６は、熱交換器４を経由させずに（バイパスして）通水する流路であり、被加熱通水路５に並列に接続されている。より詳しくは、バイパス路６は、その一端（上流端）が熱交換器４の上流側で被加熱通水路５から分岐し、該バイパス路６の他端（下流端）が熱交換器４の下流側で被加熱通水路５に合流するように、被加熱通水路５に接続されている。
【００４６】
給水路７は、被加熱通水路５及びバイパス路６に給水する流路であり、被加熱通水路５及びバイパス路６の上流側に連接されている。この給水路７の上流側部分は給湯器本体２から導出され、図示しない水道管等の給水源配管に連接されている。
【００４７】
そして、給水路７と被加熱通水路５及びバイパス路６との接続箇所には、被加熱通水路５の通水流量Ｑ１に対するバイパス路６の通水流量Ｑ２の比率（Ｑ２／Ｑ１）であるバイパス比を変更するバイパス比変更手段としてのバイパス比制御弁１４が介装されている。
【００４８】
バイパス比制御弁１４は、例えば電動式の三方弁（ステッピングモータ等の電動モータにより駆動される三方弁）により構成され、その１つの入口ポートが給水路７に接続され、２つの出口ポートが被加熱通水路５及びバイパス路６に各々接続されている。
【００４９】
このバイパス比制御弁１４を制御する（詳しくは、バイパス比制御弁１４のアクチュエータである電動モータを通電制御する）ことで、上記バイパス比（Ｑ２／Ｑ１）を、例えば０〜３の範囲で可変的に制御することが可能である。
【００５０】
なお、例えば被加熱通水路５及びバイパス路６のそれぞれに、通水流量を可変的に制御可能な流量制御弁を介装し、これらの流量制御弁によりバイパス比変更手段を構成することも可能である。
【００５１】
また、給水路７には、該給水路７の通水流量（給水流量）を制御するための電動式の水量制御弁１５と、該給水流量を検出する水量センサ１６とが装着されている。
【００５２】
なお、水量制御弁１５は、給水路７を閉弁する閉弁状態に動作可能な制御弁であり、該水量制御弁１５を閉弁させることで、給水路７の通水（ひいては、出湯路８の通水）が遮断される。
【００５３】
出湯路８は、台所、洗面所、浴室等の給湯対象箇所に配置される給湯口に給湯するための流路であり、被加熱通水路５及びバイパス路６の下流側に連接されている。従って、出湯路８には、被加熱通水路５から供給される湯水とバイパス路６から供給される水とを混合してなる混合湯水が流れる。
【００５４】
この出湯路８の下流側部分は給湯器本体２から導出され、その終端（下流端）が上記給湯対象箇所の給湯口に至るように配管されている。そして、出湯路８の終端の給湯口には、例えばカラン１８が接続される。
【００５５】
また、出湯路８の上流側部分には、上記混合湯水の温度を、給湯口に供給する湯水の温度（給湯温度）として検出する温度センサ１９が装着されている。
【００５６】
給湯器本体２にはさらに、給湯器１の運転制御を担うコントローラ２１が搭載されている。該コントローラ２１は、ＣＰＵ、ＲＡＭ、ＲＯＭ等を含む電子回路ユニットである。
【００５７】
このコントローラ２１は、リモコンユニット２０と有線又は無線により通信可能であり、ユーザによるリモコンユニット２０の操作情報等が該リモコンユニット２０から入力される。さらに、コントローラ２１には、前記温度センサ１３，１９及び水量センサ１６の検出信号が入力される。
【００５８】
そして、コントローラ２１は、前記燃焼ファン９、ガス比例弁１１、ガス電磁弁１２、バイパス比制御弁１４、水量制御弁１５を介して給湯器１の運転を制御する。
【００５９】
このコントローラ２１は、実装されるプログラムを実行することによって実現される機能、あるいは、ハードウェア構成により実現される機能として、前記水量センサ１６の出力に基づいて給水路７の通水を検知する通水検知部３１と、バーナ３の燃焼運転を行う給湯運転中に、温度センサ１９で検出される混合湯水の温度（以降、混合出湯温度という）をリモコンユニット２０で設定される目標給湯温度に一致させるようにバーナ３の燃焼量（加熱量）とバイパス比とを制御する温調制御処理を実行する温調制御部３２と、所定の初期チェック条件が成立する状況でバーナ３の燃焼運転（ひいては給湯運転）を開始すべき旨の要求（以降、給湯要求という）が発生した場合に、バーナ３の燃焼運転の開始前にバーナ３の運転用機器の動作チェック（以降、初期チェックという）を行う初期チェック処理部３３と、給湯器１の運転状態が、バイパス比を変化させるようにバイパス比制御弁１４を動作させることを必要としないあらかじめ定められた特定状態であることを必要条件として、バイパス比制御弁１４の異常の発生を検知するための異常検知処理を実行する異常検知部３４とを備える。なお、上記目標給湯温度は、本発明における目標温度に相当する。
【００６０】
リモコンユニット２０は、台所、洗面所、浴室等に配置される。なお、図１では、単一のリモコンユニット２０だけを記載しているが、複数のリモコンユニット２０を備えていてもよい。
【００６１】
リモコンユニット２０は、給湯器１のオンオフをコントローラ２１に指示するための運転スイッチ５１、目標給湯温度を設定するための温度設定スイッチ５２等の複数の操作スイッチを備えると共に、目標給湯温度あるいはエラー情報等を表示する表示器５３を備える。
【００６２】
なお、給湯器１のオン状態は、給水路７の通水時に、バーナ３の燃焼運転による通水の加熱（すなわち給湯運転）が行われる状態を意味し、給湯器１のオフ状態は、給水路７の通水を行っても、バーナ３の燃焼運転が行われない（ひいては、通水の加熱が行われない）状態を意味する。
【００６３】
また、リモコンユニット２０は、図示しないマイクロコンピュータ、通信回路等を含むリモコン制御回路５４を内蔵しており、このリモコン制御回路５４の作動によって、運転スイッチ５１の操作情報、目標給湯温度等の設定情報をコントローラ２１に送信する。さらに、リモコンユニット２０は、リモコン制御回路５４の作動によって、目標給湯温度の設定値や、コントローラ２１から送信されるエラー情報等を表示器５３に表示する。この場合、表示器５３に表示可能なエラー情報には、前記バイパス比制御弁１４の異常の発生を示すエラー情報が含まれる。
【００６４】
ここで、本実施形態では、リモコンユニット２０の運転スイッチ５１がオン操作された状態（給湯器１のオン状態）にて、通水検知部３１により給水路７の通水（詳しくは、所定の通水流量以上の通水）が検知された状態が、前記給湯要求が発生した状態である。
【００６５】
そして、上記初期チェック条件は、本実施形態では、給湯要求の発生タイミングが、給湯器１の前回の給湯運転の終了時（バーナ３の燃焼運転の終了時）から所定時間（例えば８分）が経過した後のタイミングであるという条件である。
【００６６】
また、初期チェック処理部３３が動作チェックを行う機器（バーナ３の運転用機器）は、本実施形態では、燃焼ファン９、ガス比例弁１１及びガス電磁弁１２である。
【００６７】
また、異常検知部３４により検知するバイパス比制御弁１４の異常は、本実施形態では、バイパス比制御弁１４の駆動用の電動モータ（図示省略）の通電回路系の異常である。該異常は、詳しくは、例えばバイパス比制御弁１４の駆動用の電動モータの各相の巻線コイルもしくはその通電経路の断線、あるいは該巻線コイルの短絡等の異常である。これらの異常は、電動モータの巻線コイルの通電経路の電流の検出値に基づいて検知することが可能である。
【００６８】
そして、本実施形態では、異常検知部３４による異常検知処理を実行する必要条件に関する前記特定状態は、２種類の特定状態が設定されている。その１つの特定状態は、初期チェック処理部３３によりバーナ３の運転用機器の動作チェックが行われる状態であり、他の１つの特定状態は、バーナ３の運転停止状態（詳しくは、給湯要求が発生する前の運転停止状態）である。
【００６９】
補足すると、コントローラ２１の温調制御部３２、初期チェック処理部３３、異常検知部３４は、それぞれ本発明における温調制御手段、初期チェック手段、異常検知手段に相当する。
【００７０】
次に、本実施形態の給湯器１の作動を説明する。まず、給湯運転を開始する場合の作動について図２を参照して説明する。
【００７１】
コントローラ２１は、ＳＴＥＰ１において、給湯要求が発生したか否かを監視する。
【００７２】
具体的には、コントローラ２１は、リモコンユニット２０の運転スイッチ５１がオン操作された状態（給湯器１のオン状態）において、カラン１８の開栓等に応じた給水路７の通水の有無を通水検知部３１により逐次監視し、該通水が検知されたときに、給湯要求の発生を検知する。
【００７３】
この場合、通水検知部３１は、水量センサ１６の出力により示される給水路７の通水流量（給水流量）の検出値があらかじめ定められた所定流量よりも大きくなったときに、給水路７の通水を検知する。
【００７４】
なお、例えば、給水路７の通水流量が所定流量よりも大きくなったときにオンになる水流スイッチを給水路７（又は出湯路８）に備えておき、この水流スイッチの出力に基づいて給水路７の通水を検知するようにしてもよい。
【００７５】
コントローラ２１は、ＳＴＥＰ１で給湯要求の発生を検知すると、次に、ＳＴＥＰ２において、初期チェック条件が成立するか否かを判断する。
【００７６】
本実施形態では、初期チェック条件は、今回の給湯要求の発生を検知したタイミング（現在時刻）が、前回の給湯運転の終了時から所定時間（例えば８分）以上経過した後のタイミングであるという条件である。ただし、初期チェック条件は、上記以外の条件であってもよい。
【００７７】
そして、初期チェック条件が成立する場合（ＳＴＥＰ２の判断結果が肯定的となる場合）には、コントローラ２１は、ＳＴＥＰ３において、初期チェック処理部３３によりバーナ３の運転用機器の初期チェックを開始する。
【００７８】
この初期チェックの処理では、初期チェック処理部３３は、バーナ３の運転用機器である燃焼ファン９、ガス比例弁１１及びガス電磁弁１２のそれぞれの動作チェック（正常に動作するか否かのチェック）を行う。この初期チェックの処理に要する時間は、例えば３秒程度である。
【００７９】
さらに、ＳＴＥＰ２で初期チェック条件が成立する場合には、コントローラ２１は、ＳＴＥＰ４の判断処理を実行する。このＳＴＥＰ４では、コントローラ２１は、前記温度センサ１３の出力により示される熱交換器出湯温度の現在の検出値が、リモコンユニット２０により設定された目標給湯温度以下であるか否かを判断する。
【００８０】
ここで、熱交換器出湯温度の現在の検出値が目標給湯温度よりも高い場合（ＳＴＥＰ４の判断結果が否定的となる場合）には、被加熱通水路５内に目標給湯温度よりも高温の湯水が存在している。
【００８１】
このため、出湯路８の給湯口に目標給湯温度よりも高温の湯水が供給されるのを防止するためには、給水路７の通水の開始直後から速やかに、被加熱通水路５内の高温の湯水にバイパス路６を介して適量の水を混合させるようにバイパス比制御弁１４を制御することが望ましい。この場合、一般には、当初のバイパス比が適切なバイパス比に一致していないので、バイパス比を素早く変化させるようにバイパス比制御弁１４を制御することが必要となる。
【００８２】
そこで、ＳＴＥＰ４の判断結果が否定的となる場合には、コントローラ２１は、異常検知部３４による異常検知処理を省略し、初期チェック処理部３３による初期チェックの処理が終了したか否かをＳＴＥＰ８で判断する。
【００８３】
そして、コントローラ２１は、初期チェックが終了した場合（ＳＴＥＰ８の判断結果が肯定的となる場合）に、ＳＴＥＰ９において、温調制御部３２による制御処理を開始する。
【００８４】
また、コントローラ２１は、ＳＴＥＰ２において、初期チェック条件が成立しない場合にも、ＳＴＥＰ９において、温調制御部３２による制御処理を開始する。ここで、ＳＴＥＰ２において、初期チェック条件が成立しない状況は、比較的短い時間間隔で給湯運転が繰り返される状況である。このような状況は、給湯運転が連続的に行わわれる状況と実質的に同等とみなすことができるので、初期チェックが省略される。
【００８５】
ＳＴＥＰ９では、温調制御部３２は、ガス電磁弁１２を開弁することでバーナ３に燃料ガスを供給すると共に、燃焼ファン９を作動させることでバーナ３に燃焼用空気を供給し、この状態で、図示しないイグナイタを作動させる。これにより、バーナ３が点火され、該バーナ３の燃焼運転が開始される。
【００８６】
そして、温調制御部３２は、混合出湯温度を目標給湯温度に一致もしくはほぼ一致させるための温調制御処理を実行する。この温調制御処理では、温調制御部３２は、水量センサ１６の出力により示される給水路７の通水流量（給水流量）の検出値と、温度センサ１９の出力により示される混合出湯温度の検出値と、リモコンユニット２０で設定された目標給湯温度とを用いて、所定の演算処理を実行することで、混合出湯温度を目標給湯温度に一致させるためのバーナ３の目標燃焼量とバイパス比の目標値と給水流量の目標値とをそれぞれ決定する。
【００８７】
そして、温調制御部３２は、目標燃焼量に応じてガス比例弁１１を制御することで、バーナ３を目標燃焼量で燃焼させるようにバーナ３への燃料供給量を制御する。
【００８８】
また、温調制御部３２は、バイパス比の目標値に応じてバイパス比制御弁１４を制御することで、実際のバイパス比を目標値に制御すると共に、給水流量の目標値に応じて水量制御弁１５の開度を制御することで、実際の給水流量を目標値に制御する。
【００８９】
これにより、実際の混合出湯温度が目標給湯温度に一致もしくはほぼ一致するように制御され、出湯路８から目標給湯温度での給湯が行われる。なお、温調制御処理における給水流量の目標値あるいは水量制御弁１５の開度は一定に維持するようにしてもよい。
【００９０】
補足すると、ＳＴＥＰ４の判断結果が否定的である場合には、温調制御部３２は、初期チェック処理部３３による初期チェックの処理の実行中においても、混合出湯温度を目標給湯温度に一致させるようにバイパス比の目標値を逐次可変的に決定し、該目標値に応じてバイパス比制御弁１４を制御する。
【００９１】
ＳＴＥＰ４の判断結果が肯定的である場合には、コントローラ２１は、初期チェック処理部３３による初期チェックの処理と並行して、ＳＴＥＰ５において、異常検知部３４により、バイパス比制御弁１４の異常の発生を検知する異常検知処理を開始する。
【００９２】
この場合、異常検知部３４による異常検知処理は、例えば次のように実行される。すなわち、異常検知部３４は、バイパス比制御弁１４の駆動用の電動モータ（図示省略）の各相の巻線コイルに一時的に通電し（詳しくは、バイパス比制御弁１４により規定されるバイパス比の変化が微小量に収まる程度で一時的に通電する）、その通電電流を適宜の電流センサで検出する。そして、異常検知部３４は、該通電電流の検出値を所定の閾値と比較することで、当該電動モータの各相の巻線コイルの断線、短絡等の異常（通電回路系の異常）の発生を検知する。
【００９３】
なお、異常検知部３４は、当該電動モータの巻線コイルに一時的に通電する都度、該通電後に電動モータのロータの回転位置（ひいてはバイパス比制御弁１４の弁体の動作位置）を元の位置に戻すように電動モータの巻線コイルに通電することが望ましい。
【００９４】
コントローラ２１は、かかる異常検知処理の開始後、該異常検知処理によりバイパス比制御弁１４の異常の発生が検知されたか否かをＳＴＥＰ６で監視する。そして、バイパス比制御弁１４の異常の発生が検知された場合（ＳＴＥＰ６の判断結果が肯定的となった場合）には、コントローラ２１は、ＳＴＥＰ１０において、バーナ３の燃焼運転を禁止すると共に、バイパス比制御弁１４の異常が発生したことを報知すべき旨の指令を、リモコンユニット２０に送信する。
【００９５】
このとき、リモコンユニット２０のリモコン制御回路５４は、バイパス比制御弁１４の異常が発生したことを示すエラー表示を表示器５３により行う。これにより、バイパス比制御弁１４の異常が発生したことが、リモコンユニット２０を介してユーザ等に報知される。
【００９６】
なお、上記エラー表示と併せて、あるいは、該エラー表示の代わりに、音声又は警報音による報知を行うようにしてもよい。
【００９７】
ＳＴＥＰ６でバイパス比制御弁１４の異常の発生が検知されない場合には、コントローラ２１は、ＳＴＥＰ７において、バイパス比制御弁１４の異常検知処理が終了したか否かを判断する。該異常検知処理に要する時間は、初期チェックの処理に要する時間よりも短い時間（例えば、１．２〜１．６秒程度）であり、初期チェックの処理の実行中に終了する。
【００９８】
そして、バイパス比制御弁１４の異常の発生が検知されることなく、バイパス比制御弁１４の異常検知処理が終了した場合（ＳＴＥＰ７の判断結果が肯定的となった場合）には、コントローラ２１は、初期チェックの処理が終了したか否かをＳＴＥＰ８で判断する。
【００９９】
初期チェックの処理が終了して、ＳＴＥＰ８の判断結果が肯定的になると、コントローラ２１は、ＳＴＥＰ９において前記した温調制御部３２の処理を実行する。これにより、バーナ３の燃焼運転が開始され、さらに、混合出湯温度が目標給湯温度に一致するようにバーナ３の燃焼量、バイパス比、給水流量が制御される。
【０１００】
なお、初期チェックの処理において、燃焼ファン９又はガス比例弁１１又はガス電磁弁１２の動作異常が検知された場合には、コントローラ２１は、ＳＴＥＰ１０の場合と同様に、バーナ３の燃焼運転を禁止すると共に、当該動作異常が検知された旨を示すエラー情報をリモコンユニット２０で報知させる。
【０１０１】
また、給水路７の通水が停止された場合には、コントローラ２１は、水量センサ１６による通水流量の検出値が所定値よりも小さくなることで、当該通水の停止を検知する。そして、このとき、コントローラ２１は、ガス電磁弁１２を閉弁させることで、バーナ３への燃料ガスの供給を遮断する。これにより、バーナ３の燃焼運転が停止される。
【０１０２】
次に、バーナ３の燃焼運転の停止中（給湯器１のオン状態での給湯運転の停止中）の作動を図３を参照して説明する。
【０１０３】
バーナ３の燃焼運転が停止されると、ＳＴＥＰ２１の判断結果が肯定的となる。このとき、コントローラ２１は、ＳＴＥＰ２２において、異常検知部３４により、バイパス比制御弁１４の異常の発生を検知する異常検知処理を開始する。この異常検知処理は、前記ＳＴＥＰ５と同様に実行される。
【０１０４】
ここで、バイパス比制御弁１４の異常検知処理の実行中に、給湯要求（ひいてはバーナ３の燃焼運転の要求）が発生すると、温調制御処理のためにバイパス比を変化させるように制御すべき要求が発生する場合がある。
【０１０５】
そこで、コントローラ２１は、ＳＴＥＰ２３において、前記ＳＴＥＰ１と同様に、給湯要求が発生したか否かを判断する。
【０１０６】
コントローラ２１は、バイパス比制御弁１４の異常検知処理の実行中に給湯要求が発生することにより、ＳＴＥＰ２３の判断結果が肯定的となった場合には、ＳＴＥＰ２７において、異常検知部３４によるバイパス比制御弁１４の異常検知処理を中断する。さらに、コントローラ２１は、ＳＴＥＰ２８において、前記ＳＴＥＰ９と同様に、温調制御部３２によりバーナ３の燃焼運転を開始させると共に温調制御処理を実行する。
【０１０７】
なお、この場合、ＳＴＥＰ２３の判断結果が肯定的となる状況は、前回の給湯運転の終了直後に、再び給湯要求が発生した状況であるから、前記初期チェック処理部３３による初期チェックの処理は実行されない。
【０１０８】
バイパス比制御弁１４の異常検知処理の実行中に給湯要求が発生せずにＳＴＥＰ２３の判断結果が否定的になると、コントローラ２１は、該異常検知処理によりバイパス比制御弁１４の異常の発生が検知されたか否かをＳＴＥＰ２４で監視する。そして、バイパス比制御弁１４の異常の発生が検知された場合（ＳＴＥＰ２４の判断結果が肯定的となった場合）には、コントローラ２１は、ＳＴＥＰ２９において、前記ＳＴＥＰ１０と同様に、バーナ３の燃焼運転を禁止すると共に、バイパス比制御弁１４の異常が発生したこと示す報知（エラー表示）をリモコンユニット２０で行わせる。
【０１０９】
ＳＴＥＰ２４でバイパス比制御弁１４の異常の発生が検知されない場合には、コントローラ２１は、ＳＴＥＰ２５において、バイパス比制御弁１４の異常検知処理が終了したか否かを判断する。
【０１１０】
そして、バイパス比制御弁１４の異常の発生が検知されることなく、バイパス比制御弁１４の異常検知処理が終了した場合（ＳＴＥＰ２５の判断結果が肯定的となった場合）には、コントローラ２１は、給湯要求が発生するまで待機する（ＳＴＥＰ２６）。
【０１１１】
以上の如く本実施形態では、初期チェック処理部３３によりバーナ３の運転用機器の動作チェックを行う初期チェックの処理の実行中に、あるいは、バーナ３の燃焼運転の停止中に、バイパス比制御弁１４の異常検知処理が前記異常検知部３４により実行される。
【０１１２】
このため、バイパス比制御弁１４の異常検知処理は、バイパス比を変化させる必要が無い状況で実行され、温調制御処理のためにバイパス比を変化させる必要がある状況では実行されない。
【０１１３】
特に、初期チェックの処理を実行する状況であっても、熱交換器出湯温度の検出値が目標給湯温度よりも高い状況、すなわち、出湯路８の下流端の給湯口に供給する湯水の温度を目標給湯温度に一致もしくはほぼ一致させるために、バーナ３の燃焼運転の開始前から、バイパス比を適切に制御することの必要性が高い状況では、バイパス比制御弁１４の異常検知処理は実行されない。
【０１１４】
従って、温調制御部３２による混合出湯温度の制御性能を性能を損なうことなく、適切なタイミングでバイパス比制御弁１４の異常検知処理を実行できる。
【０１１５】
また、バーナ３の燃焼運転の停止中におけるバイパス比制御弁１４の異常検知処理の実行中に、給湯要求が発生する（ひいてはバーナ３の燃焼運転の要求が発生する）と、該異常検知処理が中断される。このため、バイパス比制御弁１４が正常である限り、バイパス比をバイパス比制御弁１４を介して制御し得る状態でバーナ３の燃焼運転を開始することができる。ひいては、出湯路８の下流端の給湯口に供給する湯水の温度を、素早く目標給湯温度に制御することができる。
【０１１６】
補足すると、本実施形態では、バイパス比制御弁１４の異常検知処理の実行中に、給湯要求が発生した場合に、該異常検知処理を中断するようにしたが、給湯要求が発生しても、温調制御のためのバイパス比の目標値がバーナ３の燃焼運転の停止中のバイパス比の値に維持するような目標値となる状況では、バイパス比制御弁１４の異常検知処理を続行し、給湯要求の発生後、温調制御のためにバイパス比の目標値をバーナ３の燃焼運転の停止中のバイパス比の値から変化させることの要求が発生した状況で、バイパス比制御弁１４の異常検知処理を中断するようにしてもよい。
【０１１７】
［第２実施形態］
次に、本発明の第２実施形態を説明する。なお、本実施形態は、コントローラ２１の一部の制御処理だけが第１実施形態と相違するので、第１実施形態と同一の事項については説明を省略する。
【０１１８】
前記第１実施形態では、初期チェックの処理の実行中と、バーナ３の燃焼運転の停止中とでバイパス比制御弁１４の異常検知処理を実行するようにした。
【０１１９】
これに対して、本実施形態では、バーナ３の燃焼運転中の特定状態と、バーナ３の燃焼運転の停止中とでバイパス比制御弁１４の異常検知処理を実行する。この場合、バーナ３の燃焼運転の停止中におけるバイパス比制御弁１４の異常検知処理は、第１実施形態と同じである。
【０１２０】
以下に、バーナ３の燃焼運転中におけるバイパス比制御弁１４の異常検知処理について図４を参照して説明する。
【０１２１】
コントローラ２１は、ＳＴＥＰ３１において、バーナ３の燃焼運転中であるか否かを判断する。そして、バーナ３の燃焼運転中である場合（ＳＴＥＰ３１の判断結果が肯定的である場合）には、コントローラ２１は、さらに、ＳＴＥＰ３２において、バイパス比が最小のバイパス比であるか否かを判断する。この場合、具体的にはＳＴＥＰ３２では、温調制御のために温調制御部３２が逐次決定するバイパス比の目標値が、該バイパス比の可変範囲の最小値（本実施形態ではゼロ）であるか否かが判断される。
【０１２２】
ここで、給水温度が目標給湯温度に比して低い状況で給湯運転が開始された場合には、混合出湯温度をできるだけ早期に目標給湯温度まで昇温させるために、温調制御部３２は、給湯運転の初期において、ある程度の時間（例えば６〜８秒程度）、継続的に、バイパス比の目標値を最小のバイパス比に決定することとなる。
【０１２３】
このため、ＳＴＥＰ３２の判断結果が肯定的となる状況は、バイパス比がある程度の時間、継続的に最小のバイパス比に維持されるようにバイパス比制御弁１４が制御される状況、換言すれば、バイパス比を変化させることを必要としない特定状態である。
【０１２４】
そこで、コントローラ２１は、ＳＴＥＰ３２の判断結果が否定的となる場合には、ＳＴＥＰ３１からの判断処理を継続する一方、ＳＴＥＰ３２の判断結果が肯定的である場合には、ＳＴＥＰ３３において、異常検知部３４により、バイパス比制御弁１４の異常の発生を検知する異常検知処理を開始する。この異常検知処理は、前記第１実施形態におけるＳＴＥＰ５と同様に実行される。
【０１２５】
次いで、コントローラ２１は、ＳＴＥＰ３４において、温調制御処理によってバイパス比を変化させる（詳しくは、バイパス比の目標値を最小のバイパス比から変化させる）ようにバイパス比制御弁１４を制御する要求があるか否かを判断する。
【０１２６】
この場合、温調制御部３２により決定されるバイパス比の目標値が最小のバイパス比と異なる値に決定された場合に、ＳＴＥＰ３４の判断結果が肯定的となる。
【０１２７】
ＳＴＥＰ３４の判断結果が肯定的となった場合には、ＳＴＥＰ３８において、異常検知部３４によるバイパス比制御弁１４の異常検知処理を中断する。さらに、コントローラ２１は、ＳＴＥＰ３７において、温調制御部３２により、バーナ３の燃焼運転を継続しつつ、前記第１実施形態におけるＳＴＥＰ９と同様に温調制御処理を実行する。
【０１２８】
バイパス比制御弁１４の異常検知処理の実行中にＳＴＥＰ３４の判断結果が否定的に維持されている場合（バイパス比が最小のバイパス比に維持されている場合）には、コントローラ２１は、該異常検知処理によりバイパス比制御弁１４の異常の発生が検知されたか否かをＳＴＥＰ３５で監視する。そして、バイパス比制御弁１４の異常の発生が検知された場合（ＳＴＥＰ３５の判断結果が肯定的となった場合）には、コントローラ２１は、ＳＴＥＰ３９において、前記第１実施形態におけるＳＴＥＰ１０と同様に、バーナ３の燃焼運転を禁止すると共に、バイパス比制御弁１４の異常が発生したこと示す報知（エラー表示）をリモコンユニット２０で行わせる。
【０１２９】
ＳＴＥＰ３５でバイパス比制御弁１４の異常の発生が検知されない場合には、コントローラ２１は、ＳＴＥＰ３６において、バイパス比制御弁１４の異常検知処理が終了したか否かを判断する。
【０１３０】
そして、バイパス比制御弁１４の異常の発生が検知されることなく、バイパス比制御弁１４の異常検知処理が終了した場合（ＳＴＥＰ３５の判断結果が肯定的となった場合）には、コントローラ２１は、ＳＴＥＰ３７において、温調制御部３２により、バーナ３の燃焼運転を継続しつつ、温調制御処理を実行する。
【０１３１】
なお、バーナ３の燃焼運転中（給湯運転中）に、給水路７の通水が停止された場合には、コントローラ２１は、水量センサ１６による通水流量の検出値が所定値よりも小さくなることで、当該通水の停止を検知する。そして、このとき、コントローラ２１は、ガス電磁弁１２を閉弁させることで、バーナ３への燃料ガスの供給を遮断する。これにより、バーナ３の燃焼運転が停止される。
【０１３２】
そして、バーナ３の燃焼運転が停止すると、コントローラ２１は、第１実施形態で説明した図３の処理を実行する。
【０１３３】
以上説明した本実施形態においては、バーナ３の燃焼運転中に、バイパス比が最小のバパス比に維持される状況において、あるいは、バーナ３の燃焼運転の停止中に、バイパス比制御弁１４の異常検知処理が前記異常検知部３４により実行される。
【０１３４】
このため、バイパス比制御弁１４の異常検知処理は、バイパス比を変化させる必要が無い状況で実行され、温調制御処理のためにバイパス比を変化させる必要がある状況では実行されない。
【０１３５】
従って、温調制御部３２による混合出湯温度の制御性能を性能を損なうことなく、適切なタイミングでバイパス比制御弁１４の異常検知処理を実行できる。
【０１３６】
また、バイパス比制御弁１４の異常検知処理の実行中に、給湯要求が発生する（ひいてはバーナ３の燃焼運転の要求が発生する）と、該異常検知処理が中断される。このため、バイパス比制御弁１４が正常である限り、温調制御処理によりバイパス比をバイパス比制御弁１４を介して可変的に制御することを適切に行うことができる。
【０１３７】
［変形態様］
次に前記各実施形態の変形態様をいくつか説明する。
【０１３８】
前記第１実施形態において、ＳＴＥＰ２において、初期チェック条件が成立しない場合に、バーナ３の燃焼運転の開始後、前記第２実施形態で説明したＳＴＥＰ３２からの処理を実行し、バイパス比が最小のバイパス比に維持されることとなる状態で、バイパス比制御弁１４の異常検知処理を実行するようにしてもよい。
【０１３９】
また、前記各実施形態では、水量制御弁１５を備えたが、該水量制御弁１５を省略してもよい。
【０１４０】
また、前記各実施形態では、加熱源として、バーナ３を備えたが、本発明の熱源機の加熱源は、燃焼式以外の加熱源（電熱式の加熱源等）であってもよい。
【０１４１】
また、本発明の熱源機は、給湯機能だけを湯する熱源機に限らず、浴槽の湯はり機能を有する風呂給湯器、あるいは、暖房機能を有する暖房給湯器等の熱源機であってもよい。
【符号の説明】
【０１４２】
１…給湯器（熱源機）、３…バーナ（加熱源）、４…熱交換器、５…被加熱通水路、６…バイパス路、７…給水路、８…出湯路、１３…温度センサ（温度検出手段）、１４…バイパス比制御弁（バイパス比変更手段）、３２…温調制御部（温調制御手段）、３３…初期チェック処理部（初期チェック手段）、３４…異常検知部（異常検知手段）。
【図１】
0005869549.tif 000002
【図２】
0005869549.tif 000003
【図３】
0005869549.tif 000004
【図４】
0005869549.tif 000005